(57)【要約】  User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信する送信手段を備える、ポリシ制御機能（PCF）ノード。
2020533876.tif 000002
【特許請求の範囲】
【請求項１】
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信する送信手段を備える、ポリシ制御機能（PCF）ノード。
【請求項２】
前記送信手段は、前記UEの登録手続の際に前記情報を送信する、請求項１に記載のPCFノード。
【請求項３】
前記情報は、ネットワークスライス選択ポリシ（NSSP）を含む、請求項１または２に記載のPCFノード。
【請求項４】
User Equipment（UE）のアクセスおよびプロトコルデータユニット（PDU）セッション選択の少なくとも一つのポリシを更新するための情報を、ポリシ制御機能（PCF）ノードから受信する受信手段と、
前記情報に関連するメッセージをUEに送信する送信手段と、
を備える、アクセスモビリティ管理機能（AMF）ノード。
【請求項５】
前記送信手段は、前記UEがコネクテッドモードの場合に前記情報を送信する、請求項４に記載のAMFノード。
【請求項６】
前記送信手段は、前記UEがアイドルモードの場合にNetwork Triggered Service Requestをトリガする、請求項４に記載のAMFノード。
【請求項７】
前記送信手段は、前記UEの登録手続の際に前記メッセージを送信する、請求項４乃至６のいずれか一項に記載のAMFノード。
【請求項８】
前記受信手段は、前記UEから前記メッセージの送信の確認応答を受信する、請求項４乃至７のいずれか一項に記載のAMFノード。
【請求項９】
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信する受信手段を備える、User Equipment（UE）。
【請求項１０】
UEのアクセスおよびPDUセッション選択の少なくとも一つのポリシを前記情報で更新する更新手段と、
少なくとも一つの既存のPDUセッションを維持するかどうかおよび少なくとも一つの新しいPDUセッションを確立するかどうかの少なくとも一つを決定する決定手段とを備える、請求項９に記載のUE。
【請求項１１】
前記決定手段は、前記UEが現在使用しているネットワークスライス以外のネットワークスライスに所属する少なくとも一つの既存のPDUセッションを介して通信継続中のトラヒックをルーティングするかどうかを決定する、請求項１０に記載のUE。
【請求項１２】
前記決定手段は、前記UEが現在使用しているものと同一のネットワークスライスまたは異なるネットワークスライスと関連付けられる前記少なくとも一つの新しいPDUセッションを確立することを決定する、請求項１０に記載のUE。
【請求項１３】
前記決定手段は、前記UEが現在使用しているものと同一のネットワークスライスまたは異なるネットワークスライスと関連付けられる前記少なくとも一つの既存のPDUセッションを解放することを決定する、請求項１０に記載のUE。
【請求項１４】
アクセスモビリティ管理機能（AMF）ノードと、
ポリシ制御機能（PCF）ノードと、
User Equipment（UE）と、を備え、
前記PCFノードは、UEのアクセスおよびプロトコルデータユニット（PDU）セッション選択の少なくとも一つのポリシを更新するための情報に関連するメッセージを、前記AMFノードを介して前記UEに送信するよう構成され、
前記UEは、UEのアクセスおよびPDUセッション選択の少なくとも一つのポリシを更新するための情報に関連するメッセージを、前記AMFノードを介して前記PCFノードから受信するよう構成され、
前記AMFノードは、前記UEのアクセスおよびPDUセッション選択の少なくとも一つのポリシを更新するための前記情報を前記PCFノードから受信し、前記情報に関連するメッセージを前記UEに送信するよう構成される、モバイル通信システム。
【請求項１５】
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信することを含む、ポリシ制御機能（PCF）ノードにおける制御方法。
【請求項１６】
前記情報は前記UEの登録手続の際に送信される、請求項１５に記載の制御方法。
【請求項１７】
前記情報はネットワークスライス選択ポリシ（NSSP）を含む、請求項１５または１６に記載の制御方法。
【請求項１８】
User Equipment（UE）のアクセスおよびプロトコルデータユニット（PDU）セッション選択の少なくとも一つのポリシを更新するための情報を、ポリシ制御機能（PCF）ノードから受信することと、
前記情報に関連するメッセージをUEに送信することと、
を含む、アクセスモビリティ管理機能（AMF）ノードにおける制御方法。
【請求項１９】
前記情報は前記UEがコネクテッドモードの場合に送信される、請求項１８に記載の制御方法。
【請求項２０】
前記UEがアイドルモードの場合にNetwork Triggered Service Requestをトリガすることをさらに含む、請求項１９に記載の制御方法。
【請求項２１】
前記メッセージは前記UEの登録手続の際に送信される、請求項１８乃至２０のいずれか一項に記載の制御方法。
【請求項２２】
前記UEから前記メッセージの送信の確認応答を受信することをさらに含む、請求項１８乃至２１のいずれか一項に記載の制御方法。
【請求項２３】
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信することを含む、User Equipment（UE）における制御方法。
【請求項２４】
UEのアクセスおよびPDUセッション選択の少なくとも一つのポリシを前記情報で更新することと、
少なくとも一つの既存のPDUセッションを維持するかどうかおよび少なくとも一つの新しいPDUセッションを確立するかどうかの少なくとも一つを決定することと
を含む、請求項２３に記載の制御方法。
【請求項２５】
前記決定は、前記UEが現在使用しているネットワークスライス以外のネットワークスライスに所属する少なくとも一つの既存のPDUセッションを介して通信継続中のトラヒックをルーティングするかどうかを決定することにより行われる、請求項２４に記載の制御方法。
【請求項２６】
前記決定は、前記UEが現在使用しているものと同一のネットワークスライスまたは異なるネットワークスライスと関連付けられる前記少なくとも一つの新しいPDUセッションを確立することを決定することにより行われる、請求項２４に記載の制御方法。
【請求項２７】
前記決定は、前記UEが現在使用しているものと同一のネットワークスライスまたは異なるネットワークスライスと関連付けられる前記少なくとも一つの既存のPDUセッションを解放することを決定することにより行われる、請求項２４に記載の制御方法。
【発明の詳細な説明】
【技術分野】
【０００１】
本開示は、通信システムに関する。本開示は、第３世代パートナーシッププロジェクト（3GPP）標準あるいはその同等物または派生物に従って動作する、無線通信システムおよびそのデバイスに特に関連するが、他を排除するものではない。本開示は、いわゆる「次世代」システムにおいて適切なネットワークスライス選択ポリシを用いてUser Equipmentを構成することに特に関連するが、他を排除するものではない。
【背景技術】
【０００２】
3GPPは現在、「NextGen」または第５世代（5G）アーキテクチャと表される、次世代のモバイルアーキテクチャの規定に取り組んでいる。NextGenネットワークの主要な課題の一つは、多様な要件を必要とする様々な市場シナリオに最適化された解決策を提供するようカスタマイズされたネットワークをオペレータが作成できるようにするネットワークスライシングを可能にすることである。
【０００３】
下記のネットワークスライシングの定義および原則は、非特許文献１のV1.4.0および非特許文献２のV1.2.0において同意されている（アルファベット順に並べられていない）。
【０００４】
S-NSSAI・・・S-NSSAI（単一ネットワークスライス選択支援情報（Single Network Slice Selection Assistance information））は、ネットワークスライスを識別する。
S-NSSAIは、
機能及びサービスの観点から予期されるネットワークスライスの動作を指す、スライス／サービスタイプ（SST）と、
指示されたスライス／サービスタイプに全てが適合する、潜在的に複数のネットワークスライスインスタンスから、ネットワークスライスインスタンスを選択するための更なる差別化を可能にする、スライス／サービスタイプを補完するオプション情報である、スライス差別子（SD）と、を含む。この情報はSDと呼ばれる。
S-NSSAI範囲・・・S-NSSAIは、標準値または公衆陸上モバイルネットワーク（PLMN）固有の値を持ち得る。PLMN固有の値を持つS-NSSAIは、PLMN IDを付与するPLMNの当該PLMN IDに関連付けられる。S-NSSAIは、当該S-NSSAIが関連付けられているPLMN以外のPLMNのアクセス層での手続においてUser Equipment（UE）によって使用されないものとする。
NSSAI・・・ネットワークスライス選択支援情報（Network Slice Selection Assistance Information）は、S-NSSAIの集合である。
Allowed NSSAI・・・例えば登録手続においてサービングPLMNによって提供されるNSSAIであり、現在の登録エリアのサービングPLMN内のUEのネットワークにより許可されたNSSAIを示す。UEは、各PLMNについて、Configured NSSAIと、もしあれば、Allowed NSSAIを保存するものとする。あるPLMNのAllowed NSSAIを受信すると、UEは受信したAllowed NSSAIを保存し、このPLMNの過去に保存されたAllowed NSSAIを上書きする。
Configured NSSAI・・・UEに提供されているNSSAI。UEは、ホーム公衆陸上モバイルネットワーク（HPLMN）によりPLMNごとのConfigured NSSAIで設定されうる。Configured NSSAIは、PLMN固有であってよい。HPLMNは、Configured NSSAIがすべてのPLMNに適用されるかどうか、すなわち、Configured NSSAIはUEがアクセスしているPLMNに関係なく同じ情報を伝達するかどうかを含めて、各Configured NSSAIがどのPLMNに適用されるかを示す。（たとえば、これは標準化されたS-NSSAIだけを含むNSSAIについて可能である）。
Requested NSSAIは、
UEが現在のPLMNについてAllowed NSSAIを持たない場合、Configured NSSAIまたは下記で説明するそのサブセット、
UEが現在のPLMNについてAllowed NSSAIを持つ場合、Allowed NSSAIまたは下記で説明するそのサブセット、
Allowed NSSAIまたは下記で説明するそのサブセット、更に、対応するS-NSSAIがAllowed NSSAIに存在せず、かつ現在のトラッキングエリアのネットワークによって（以下に記載するように）過去に永続的に拒否されなかった、Configured NSSAIの中の一つまたは複数のS-NSSAI、のうちのいずれかであってよい。
ネットワークスライス・・・特定のネットワークケイパビリティとネットワーク特性を提供する論理ネットワーク。
ネットワークスライスインスタンス・・・ネットワーク機能インスタンスの集合と、展開されたネットワークスライスを形成する必要なリソース（例えば計算機、ストレージ、ネットワークリソース）。
NSSP・・・ネットワークスライス選択ポリシ（Network Slice Selection Policy）。ネットワークオペレータは、UEにNSSPを提供することが可能である。NSSPは、各々があるアプリケーションをあるひとつのS-NSSAIに関連付けるものである、一つまたは複数のNSSPルールを含む。
【０００５】
非特許文献１および非特許文献２の内容は、本明細書に援用される。
【０００６】
ネットワークオペレータ（ホーム公衆陸上モバイルネットワーク（HPLMN））は、UEにネットワークスライス選択ポリシ（NSSP）を提供することが可能である。NSSPは、各々があるアプリケーションをある一つのS-NSSAIに関連付けるものである、一つまたは複数のNSSPルールを含む。すべてのアプリケーションをS-NSSAIに組み合わせるデフォルトルールを含めることも可能である。UEは、HPLMNによって新しいNSSPがUEに提供されるまでNSSPを保存するものとする（非特許文献１、5.15.5.3）。
【０００７】
登録中にUEコンテキストを確立する際、アクセスモビリティ管理機能（AMF）は、Npcf_AMPolicyControl_GetオペレーションによってPCF（ポリシ制御機能）からNSSPを提供される（非特許文献２、s4.16.1.2）。図１は、登録中のUEコンテキスト確立をより詳細に示す。
【０００８】
この手続は、ローミングシナリオと非ローミングシナリオの両方に関係する。
【０００９】
非ローミングの場合、V-PCFは関わらない。
１．AMFは、登録手続においてPCFとのUEコンテキストを確立すると決定する。
２．AMFは、Npcf_AMPolicyControl_GetをPCFに送信してアクセスモビリティ管理ポリシを取得する。この要求は、以下の情報：UE識別子（加入者永続識別子（SUPI））とサブスクリプション通知指示子とを含み、可能であれば、update location手続において統合データ管理（UDM）から取得される、サービスエリア制限と、RAT/Frequency Selection Priority (RFSP)インデックスとを含む。また、この要求は、アクセスタイプおよびRAT（無線アクセス技術）タイプ、永続機器識別子（PEI）、ユーザ位置情報（ULI）、UEタイムゾーン、ならびに、サービスネットワーク情報を含んでもよい。
３．H-PCFは、ポリシサブスクリプション関連情報を、もし利用不能であれば、統合データリポジトリ（UDR）からNudr_User_Data_Management queryサービスオペレーションを用いて取得し、ポリシ決定を行う。そして、H-PCFは、Npcf_AMPolicyControl_Getサービスオペレーションに応答して、適応変調符号化（AMC）ルールとUEポリシとをAMFに提供する。この確認応答は、以下の情報：サービスエリア制限と、RFSPインデックスと、UEポリシ（例えばNSSP、セッションおよびサービス連続モード選択ポリシ（SSCMSP）や、データネットワーク名（DNN）選択ポリシ）とを含む。
４．AMFは、アクセスモビリティ管理ポリシを展開する。これには、サービスエリア制限の保存と、UEポリシおよびサービスエリア制限のUEへの提供と、RFSPインデックスおよびサービスエリア制限の無線アクセスネットワーク（RAN）への提供とが含まれる。
【００１０】
UEは、UE設定（例えばNSSP）を用いて、通信継続中のトラヒックを、他のネットワークスライスに所属する既存のプロトコルデータユニット（PDU）セッションまたは同じ／他のネットワークスライスに関連する確立された新しいPDUセッションを介してルーティングできるかどうかを判断する（非特許文献１、5.15.5.2.2）。
【先行技術文献】
【非特許文献】
【００１１】
【非特許文献１】技術仕様書（TS）23.501、V1.4.0
【非特許文献２】技術仕様書（TS）23.502、V1.2.0
【００１２】
3GPP SA2ワーキンググループによる非特許文献１および非特許文献２における現在の合意によると、
‐3GPP 5Gの仕様には、NSSPルールがどのようにしてUEで設定されるのかも、UEにリレーされるのかも記載されておらず、
‐NSSPルールがいつどのようにして更新されうるのかについて記載がない。
【発明の概要】
【００１３】
したがって、本開示の目的は、上記の課題の一つまたは複数に少なくとも部分的に対処する、システム、デバイス、および方法を提供することである。
【００１４】
本開示の一つの態様であるポリシ制御機能（PCF）ノードは、User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信する送信手段を備えるPCFノードである。
【００１５】
また、本開示の他の態様であるアクセスモビリティ管理機能（AMF）ノードは、User Equipment（UE）のアクセスおよびプロトコルデータユニット（PDU）セッション選択の少なくとも一つのポリシを更新するための情報を、ポリシ制御機能（PCF）ノードから受信する受信手段と、前記情報に関連するメッセージをUEに送信する送信手段とを備えるAMFノードである。
【００１６】
また、本開示の他の態様であるUser Equipment（UE）は、User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信する受信手段を備えるUEである。
【００１７】
また、本開示の他の態様であるモバイル通信システムは、アクセスモビリティ管理機能（AMF）ノードと、ポリシ制御機能（PCF）ノードと、User Equipment（UE）とを備え、前記PCFノードは、UEのアクセスおよびプロトコルデータユニット（PDU）セッション選択の少なくとも一つのポリシを更新するための情報に関連するメッセージを、前記AMFノードを介して前記UEに送信するよう構成され、前記UEは、UEのアクセスおよびPDUセッション選択の少なくとも一つのポリシを更新するための情報に関連するメッセージを、前記AMFノードを介して前記PCFノードから受信するよう構成され、前記AMFノードは、前記UEのアクセスおよびPDUセッション選択の少なくとも一つのポリシを更新するための前記情報を前記PCFノードから受信し、前記情報に関連するメッセージを前記UEに送信するよう構成される、モバイル通信システムである。
【００１８】
また、本開示の他の態様であるポリシ制御機能（PCF）ノードにおける制御方法は、User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信することを含むPCFノードにおける制御方法である。
【００１９】
また、本開示の他の態様であるアクセスモビリティ管理機能（AMF）ノードにおける制御方法は、User Equipment（UE）のアクセスおよびプロトコルデータユニット（PDU）セッション選択の少なくとも一つのポリシを更新するための情報を、ポリシ制御機能（PCF）ノードから受信することと、前記情報に関連するメッセージをUEに送信することとを含むAMFノードにおける制御方法である。
【００２０】
また、本開示の他の態様であるUser Equipment（UE）における制御方法は、User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信することを含むUEにおける制御方法である。
【００２１】
上記のような構成により、本開示は、NSSPルールがどのようにしてUEで設定されるのかまたはUEにリレーされるのか、という問題を解決する、PCFノード、AMFノード、UE、およびモバイル通信システムを提供することができる。
【図面の簡単な説明】
【００２２】
【図１】図１は、登録におけるUEコンテキスト確立をさらに詳細に示す。
【図２】図２は、非ローミングの場合のイベントのシーケンスを表す。
【図３】図３は、ローミングの場合のイベントのシーケンスを表す。
【図４】図４は、登録の際にNSSPルールを用いてUEを更新する手続を概略的に示す例示的なシグナリング（タイミング）図である。
【図５】図５は、モバイル（セルラまたは無線）通信システム１を概略的に示す。
【図６】図６は、UEの主要な構成要素を示すブロック図である。
【図７】図７は、AMFの主要な構成要素を示すブロック図である。
【図８】図８は、PCFの主要な構成要素を示すブロック図である。
【図９】図９は、UDRの主要な構成要素を示すブロック図である。
【発明を実施するための形態】
【００２３】
＜第１の実施態様＞
・UE３の構成とNSSPルールを用いた更新
【００２４】
NSSPは、各々があるアプリケーションをある一つのネットワークスライス（例えばS-NSSAI）と関連付けるものである、一つまたは複数のNSSPルールを含む。これにより、UE３においてNSSPルールとAllowed  S-NSSAIとの間に直接依存性が生じる。すなわち、UE３におけるallowed S-NSSAIリストへの更新には、UE３におけるNSSPルールへの更新を必要となりうる。
【００２５】
そのため、UE３におけるallowed S-NSSAIリストが設定または更新されるたびに、UEにおいてNSSPルールを設定および/または更新することが提案される。allowed S-NSSAIは、展開の変更またはUEサブスクリプションの変更により変更しうる。
【００２６】
さもなければ、UE３は、UE３におけるallowed S-NSSAIの起こり得る変更に従うようにNSSPルールが更新されなかったならば、NSSPルールを適用することができないかもしれない。
【００２７】
この解決策では、UE３がコネクテッドモードのときに最新のNSSPルールを用いてUE３を設定または更新するネットワークを提案する。
【００２８】
注：NSSAIは、非特許文献１のNSSAIの定義に従うと、S-NSSAIの集合であるため、allowed S-NSSAIまたはallowed S-NSSAIリストは、「Allowed NSSAI」と同一である。
【００２９】
図２は非ローミングの場合のイベントのシーケンスを表す。
【００３０】
より詳細には、図２は、以下のステップを概略的に示す例示的なシグナリング（タイミング）図である。
【００３１】
１ａ）H-PCF１０−２は、S-NSSAIの通常のアベイラビリティまたはローミング中のUE３ごともしくはUEのグループごとのS-NSSAI制限に関して、直接的にまたはNEF（ネットワークエクスポージャ機能）を介してアプリケーション機能（AF）から通知を受信してもよい。AFは、特定のUE３またはUEのグループのUEポリシの変更、たとえばNSSPルールの変更もまた指示してもよい。AFの要求／通知は、N5を介して（個々のUEの継続中のPDUセッションに関する要求の場合、5GC NFと直接インタラクトすることが可能なAFのために）、あるいは、ネットワークエクスポージャ機能（NEF）を介して、H-PCF１０−２に送信される。このような要求または通知の例は、NSSPルールやAllowed S-NSSAIリストへの変更といった、UEポリシの一つまたは複数の要素の変更をトリガするNamf_EventExposure_Notify(NSSP rules, allowed/disallowed S-NSSAI)サービスオペレーションである。複数のUE３を対象とする要求または通知は、NEFを介して送信される。また、複数のUE３を対象とする要求または通知は、複数のH-PCF１０−２を対象としてもよい。
【００３２】
１ｂ）UDR１１は、UE３のサブスクリプションポリシプロファイルが変更されたことを検出してもよい。UEポリシ（例えばUE３のNSSPルール）に影響を与えるサブスクリプションプロファイルの変更の一例は、UE３がサブスクライブされているS-NSSAIの変更である。
【００３３】
２ｂ）UDR１１は、例えば、NSSPルールのような更新されたUE_Policyおよび／または更新されたsubscribed S-NSSAIなどを含む、Nudr_PolicyManagement_UpdateNotify(UE_Policy, subscribed S-NSSAI)またはNudr_User_Management_Notify(UE_Policy, subscribed S-NSSAI)サービスオペレーションにより、更新された加入者プロファイルをH-PCF１０−２に通知する。
【００３４】
３）H-PCF１０−２は、UDR１１のサブスクリプション変更および／またはAFから受信する情報に基づいて、UEポリシの変更、たとえば特定のUE３またはUEのグループのNSSPルールの変更をトリガするポリシ決定を行う。
【００３５】
４）H-PCF１０−２は、UEポリシルールの更新、たとえばNSSPルールの更新を、例えば更新されたNSSPルールを含むNpcf_AMPolicy Control_UpdateNotify（NSSP rules）メッセージにより、AMF９に通知する。AMF９は、確認応答をH-PCF１０−２に送信する。
【００３６】
５）AMF９は、更新されたUEポリシ（例えば更新されたNSSPルール）を展開する。この手続には、更新されたNSSPルールを保存すること、および、AMF９がNSSPルールをUE３に提供するかどうかを判断することが含まれる。このために、AMF９は、そのUE３の更新されたNSSPルールまたはUEサブスクリプション変更によるUE設定の更新の必要性を判断する。
【００３７】
AMF９は、UEポリシ（例えばNSSPルール）の最新の変更を用いたUE設定の更新が急務であるか否か（例えばUE設定の更新が直ちに必要か、または待機できるか）を、UEポリシルールへの変更を分析する（たとえば、NSSPルールの変更の範囲、アクティブなPDUセッションに影響があるかどうか、既に選択された／アクティブなネットワークスライスが関わっているかどうかなどを分析する）ことによって判断することもできる。UEポリシ（例えばNSSPルール）の変更が重要であり、ならびに／または、UEポリシ（例えばNSSPルール）の更新が既存のPDUセッションに影響する、および／もしくは、アクティブなネットワークスライス（S-NSSAI）に影響する場合、AMF９は、UE３が遅滞なく更新されたUEポリシ（例えばNSSPルール）をうまく利用できるよう、UE３のUEポリシ（例えばUE NSSPルール）を直ちに更新することを決定してもよい。たとえば、UE３は、NSSPルールの最新の更新に基づいて、新しいPDUセッションを再確立することができる。更新されたUEポリシ（例えばNSSPルール）を用いたUE設定をすぐに更新することをAMF９が決定し、UE３がアイドルモードにある場合、AMF９はステップ６で述べるNetwork Triggered Service Request手続を開始するものとする。AMF９の決定は、オペレータの設定、設定、またはポリシによって、またはそれらに基づいて制御できる。
【００３８】
６）UEポリシ（例えばNSSPルール）が変更されたUE３がコネクテッドモードである場合、
【００３９】
‐AMF９は、更新されたUEポリシ（例えばNSSPルール）をUE３に提供するために、UE Configuration Update手続をトリガすることが可能である。AMF９は、最新のUEポリシ（例えばNSSPルール）を含むUE Configuration Update Command(NSSP rules)をUE３に送信する。AMF９はまた、UE Configuration Update Commandメッセージに、UE３がUE Configuration Commandに確認応答すべきか否かを示すUE Configuration Update causeを含めてもよい。
【００４０】
UEポリシ（例えば、NSSPルール）が変更されたUE３がアイドルモードである場合、AMF９は、下記のいずれかをしてもよい：
【００４１】
‐UE３が接続するのを待ってから、更新されたNSSPルールをUE３に提供するためにUE Configuration Update Command(NSSP rules)メッセージをトリガする。このプロセスは、非同期型通信に基づいて実行されうる。または、
‐UE３をコネクテッドモードにするためにNetwork Triggered Service Requestをトリガしてから、更新されたNSSPルールをUE３に提供するためにUE Configuration Update Command(NSSPルール)メッセージをトリガする。または、
‐登録要求メッセージがUE３から届くのを待ってから、登録受諾メッセージ内の更新されたNSSPルールをUE３に提供する。このプロセスは、非同期型通信に基づいて実行されうる。
【００４２】
UE Configuration Update causeがUE Configuration Update Commandメッセージの確認応答を要求する場合、UE３はUE Configuration Update CompleteメッセージをAMF９に送信するものとする。
【００４３】
７）UE３は、AMF９から受信した更新されたNSSPルールを用いて、保存されているNSSPルールを更新し、新しいNSSPルールを使用して以下のことを判断する。
【００４４】
‐通信継続中のトラヒックを、他のネットワークスライス（例えばS-NSSAI）に所属する既存のPDUセッションを介して、または、同じ／他のネットワークスライスに関連する確立された新しいPDUセッションを介してルーティングできるか。または、
‐ネットワークスライス（例えばS-NSSAI）に関連する既存のPDUセッションを維持できるか否か。新しい更新されたNSSPルールに従って既存のPDUセッションを維持できない場合、UE３はPDUセッション解放手続を開始してPDUセッションを解放する。この場合、UE３は、新しいNSSPルールに従ってネットワークスライスへのコネクションを提供できる他のPLMNを探す、ネットワーク検索を開始してもよい。
【００４５】
図３はローミングの場合のイベントのシーケンスを表す。
【００４６】
より詳細には、図３は以下のステップを概略的に示す例示的なシグナリング（タイミング）図である。
【００４７】
１）V-PCF１０−１は、S-NSSAIの通常のアベイラビリティまたはローミング中のUE３もしくはUEのグループごとのネットワークスライス（例えばS-NSSAI）制限に関して、直接的にまたはNEF（ネットワークエクスポージャ機能）を介してアプリケーション機能（AF）から通知を受信してもよい。AFは、特定のUE３またはUEのグループのUEポリシの変更、たとえばローミング中のNSSPルールの変更もまた指示してもよい。AFの要求／通知は、N5を介して（個々のUEの継続中のPDUセッションに関する要求の場合、5GC NFと直接インタラクトすることが可能なAFのために）、あるいはNEFを介して、V-PCF１０−１に送信される。このような要求または通知の例は、NSSPルールやAllowed S-NSSAIリストへの変更といった、UEポリシの一つまたは複数の要素の変更をトリガするNamf_EventExposure_Notify(NSSP rules, allowed/disallowed S-NSSAI)サービスオペレーションである。複数のUE３を対象とする要求または通知は、NEFを介して送信される。また、複数のUE３を対象とする要求または通知は、複数のH-PCF１０−２を対象としてもよい。
【００４８】
２）V-PCF１０−１は、UEポリシの変更、たとえばローミング中の特定のUE３またはUEのグループのNSSPルールの変更をトリガするポリシ決定を行う。V-PCF１０−１は、H-PCF１０−２にコンタクトして、UEポリシ（例えばNSSPルール）またはallowed S-NSSAIまたはそのUE３もしくはUEのグループのための他のポリシもしくはサブスクリプション情報を取得してもよい。そして、H-PCF１０−２は、UDR１１からサブスクリプション情報を取得してもよい。そして、Ｖ−PCF１０−１は、ステップ１でAFから受信した情報に基づいて、H-PCF１０−２から取得したUEポリシ（例えばNSSPルール）、ならびに／または、他のサブスクリプションおよび／もしくはポリシ情報を変更し、ローミング中のそのUE３またはUEのグループにそれらを適用してもよい。
【００４９】
３）V-PCF１０−１は、UEポリシルールの更新、たとえばNSSPルールの更新を、たとえば更新されたNSSPルールを含むNpcf_AMPolicy Control_UpdateNotify(NSSP rules)メッセージにより、AMF９に通知する。AMF９は、確認応答をV-PCF１０−１に送信する。
【００５０】
注：以降のステップ４、５、６は図２のステップ５、６、７と概して同じである。
【００５１】
４）AMF９は、更新されたUEポリシ（例えば更新されたNSSPルール）を展開する。この手続には、更新されたNSSPルールを保存すること、および、AMF９がNSSPルールをUE３に提供するかどうかを判断することが含まれる。このために、AMF９は、そのUE３の更新されたNSSPルールまたはUEサブスクリプション変更によるUE設定の更新の必要性を判断する。
【００５２】
AMF９は、UEポリシ（例えばNSSPルール）の最新の変更を用いたUE設定の更新が急務であるか否か（例えばUE設定の更新が直ちに必要か、または待機できるか）を、UEポリシルールへの変更を分析する（たとえば、NSSPルールの変更の範囲、アクティブなPDUセッションに影響があるかどうか、既に選択された／アクティブなネットワークスライスが関わっているかどうかなどを分析する）ことによって判断することもできる。UEポリシ（例えばNSSPルール）の変更が重要であり、ならびに／または、UEポリシ（例えばNSSPルール）の更新が既存のPDUセッションに影響する、および／もしくは、アクティブなネットワークスライス（S-NSSAI）に影響する場合、AMF９は、UE３が遅滞なく更新されたUEポリシ（例えばNSSPルール）をうまく利用できるよう、UE３のUEポリシ（例えばUE NSSPルール）を直ちに更新することを決定してもよい。たとえば、UE３は、NSSPルールの最新の更新に基づいて、新しいPDUセッションを再確立することができる。更新されたUEポリシ（例えばNSSPルール）を用いたUE設定をすぐに更新することをAMF９が決定し、UE３がアイドルモードにある場合、AMF９はステップ６で述べるNetwork Triggered Service Request手続を開始するものとする。AMF９の決定は、オペレータの設定、設定、またはポリシによって、またはそれらに基づいて制御できる。
【００５３】
５）UEポリシ（例えば、NSSPルール）が変更されたUE３がコネクテッドモードである場合、
【００５４】
- AMF９は、更新されたUEポリシ（例えばNSSPルール）をUE３に提供するために、UE Configuration Update手続をトリガすることが可能である。AMF９は、最新のUEポリシ（例えばNSSPルール）を含むUE Configuration Update Command (NSSP rules)をUE３に送信する。AMF９はまた、UE Configuration Update Commandメッセージに、UE３がUE Configuration Commandに確認応答すべきか否かを示すUE Configuration Update causeを含めてもよい。
【００５５】
UEポリシ（例えばNSSPルール）が変更されたUE３がアイドルモードである場合、AMF９は、下記のいずれかをしてもよい：
【００５６】
‐UE３が接続するのを待ってから、更新されたNSSPルールをUE３に提供するためにUE Configuration Update Command(NSSP rules)メッセージをトリガする。このプロセスは、非同期型通信に基づいて実行されうる。または、
‐UE３をコネクテッドモードにするためにNetwork Triggered Service Requestをトリガしてから、更新されたNSSPルールをUE３に提供するためにUE Configuration Update Command（NSSPルール）メッセージをトリガする。または、
‐登録要求メッセージがUE３から届くのを待ってから、登録受諾メッセージ内の更新されたNSSPルールをUE３に提供する。このプロセスは、非同期型通信に基づいて実行実行されうる。
【００５７】
UE Configuration Update causeがUE Configuration Update Commandメッセージの確認応答を要求する場合、UE３はUE Configuration Update CompleteメッセージをAMF９に送信するものとする。
【００５８】
６）UE３は、AMF９から受信した更新されたNSSPルールを用いて、保存されているNSSPルールを更新し、新しいNSSPルールを使用して以下のことを判断する。
【００５９】
‐通信継続中のトラヒックを、他のネットワークスライス（例えばS-NSSAI）に所属する既存のPDUセッションを介して、または、同じ／他のネットワークスライスに関連する確立された新しいPDUセッションを介してルーティングできるか。または、
‐ネットワークスライス（例えばS-NSSAI）に関連する既存のPDUセッションを維持できるか否か。新しい更新されたNSSPルールに従って既存のPDUセッションを維持できない場合、UE３はPDUセッション解放手続を開始してPDUセッションを解放する。この場合、UE３は、新しいNSSPルールに従ってネットワークスライスへのコネクションを提供できる他のPLMNを探す、ネットワーク検索を開始してもよい。
【００６０】
他の態様では、図４に概して示すように、NSSPルールは、更新されてUE３に伝達されうるか、UE登録手続中より以前に更新されていた場合はUE３にそのまま伝達されうる。
【００６１】
図４は、登録の際にNSSPルールを用いてUE３を更新する手続を概略的に示す例示的なシグナリング（タイミング）図であり、以下のステップを含む。
【００６２】
１）登録要求‐UE３がネットワークへの登録または再登録を必要とするとき、UE３は、（R）AN５とのコネクションを確立して、（R）ANノードにより選択されたAMF９に向けて登録要求メッセージをトリガする。
【００６３】
２）AMF９は、認証およびセキュリティ機能（AUSF）１３を起動することによりUE認証の開始を決定してもよい。結果として、認証およびNASセキュリティが実行される。
【００６４】
３）AMF９は、UDR１１からサブスクリプションデータを取得してもよく、また、サブスクリプションデータが変更されるときに通知されるようサブスクライブしてもよい。
【００６５】
４）AMF９がUE３のアクセスモビリティポリシやUEポリシ（例えばNSSPルール）をまだ取得していない場合、または、AMF９内のアクセスモビリティポリシやUEポリシ（例えばNSSPルール）がもはや有効ではない、または、UE３のAllowed NSSAIが登録手続中に更新されたがAMF９が更新されたAllowed NSSAIに関連するUEポリシ（例えばNSSPルール）を持っていない場合、AMF９は、（たとえば、Npcf_AMPolicyControl_Getサービスオペレーションにより）PCF１０からのUE３のオペレータポリシを適用するようPCF１０に要求する。ローミングの場合、H-PCF１０−２とV-PCF１０−１との間のインタラクションが、アクセスモビリティポリシおよびUEポリシ（例えばNSSPルール）の提供のために必要である。ローミングにおいて、V-PCF１０−１は、ローカルネットワークスライス（例えばS-NSSAI）のアベイラビリティおよび／または制限に基づいて、UEポリシ（例えばNSSPルール）を変更してもよい。利用可能でない場合、PCF１０は、たとえばNudr_User_Data_Management queryサービスオペレーションにより、UDR１１からポリシサブスクリプション関連情報を取得し、ポリシ決定を行う。UDR１１から取得したサブスクリプション情報、例えばUE３のsubscribed S-NSSAIおよび／またはUEポリシに影響する可能性のある他の情報に基づいて、PCF１０は、UE３のUEポリシ（例えばNSSPルール）を更新してもよい。そして、PCF１０は、（たとえば、Npcf_AMPolicyControl_Getサービスオペレーションにより）AMF９に応答して、最新のNSSPルールを提供する。
【００６６】
５）AMF９は、登録が受諾されたことを示す登録受諾メッセージをUE３に送信する。AMF９は、登録受諾メッセージに最新のNSSPルールを含める。
【００６７】
６）UE３は、保存されているNSSPルールを、AMF９から受信した更新されたNSSPルールを用いて更新し、新しいNSSPルールを使用して以下のことを判断する。
【００６８】
‐通信継続中のトラヒックを、他のネットワークスライス（例えばS-NSSAI）に所属する既存のPDUセッションを介してまたは同じ／他のネットワークスライスに関連する確立された新しいPDUセッションを介してルーティングできるか。または、
‐ネットワークスライス（例えばS-NSSAI）に関連する既存のPDUセッションを維持できるか否か。新しい更新されたNSSPルールに従って既存のPDUセッションを維持できない場合、UE３はPDUセッション解放手続を開始してPDUセッションを解放する。この場合、UE３は、新しいNSSPルールによりネットワークスライスへのコネクションを提供できる他のPLMNを探す、ネットワーク検索を開始してもよい。
【００６９】
有益なことに、上述した実施態様は、下記の機能のうちの一つまたは複数を含むが、これらに限定されない。
【００７０】
・UEのネットワークスライス（例えばS-NSSAI）サブスクリプションの変更、または、UEポリシ（例えばNSSPルール）に影響する他のサブスクリプションの変更の結果としての、H-PCF１０−２によるUEのNSSPルールの更新。サブスクリプション変更情報は、UDR１１によってH-PCF１０−２に通知される。
【００７１】
・UEポリシ（例えばNSSPルール）情報またはネットワークスライス（例えばS-NSSAI）アベイラビリティ／制限情報の変更の結果としての、非ローミング中であればH-PCF１０−２による、または、ローミング中であればV-PCF１０−１による、UEのNSSPルールの更新。この情報は、アプリケーション機能（AF）によって、直接的にまたはネットワークエクスポージャ機能（NEF）を介して、H-PCF１０−２またはV-PCF１０−１に通知される。
【００７２】
・NSSPルールの更新によるAMF９内でのUEプロファイルの更新。UE３の動作および／またはパフォーマンスに対する更新されたNSSPルールの考えられる影響を考慮して、UE３がコネクテッドモードまたはアイドルモードであるときにUEポリシ更新（例えば更新されたNSSPルール）をUE３またはUEのグループに伝達する方法を決定するためのAMF９のロジック。UE３がコネクテッドモードであるときに更新されたNSSPルールの伝達のためのUE Configuration Update手続の使用。
【００７３】
・更新されたNSSPルールを受信する際のUE３の動作。UE３は、AMF９から受信した更新されたNSSPルールを用いて、保存されているNSSPルールを更新し、新しいNSSPルールを使用して以下のことを判断する。
【００７４】
‐通信継続中のトラヒックを、他のネットワークスライスに所属する既存のPDUセッションを介してまたは同じ／他のネットワークスライスに関連する確立された新しいPDUセッションを介してルーティングできるか。または、
‐ネットワークスライスに関連する既存のPDUセッションを維持できるか否か。新しい更新されたNSSPルールに従って既存のPDUセッションを維持することができない場合、UE３はPDUセッション解放手続を開始してセッションを解放する。この場合、UE３は、新しいNSSPルールによりネットワークスライスへのコネクションを提供できる他のPLMNを探す、ネットワーク検索を開始してもよい。
【００７５】
要するに、本明細書は下記のステップのうちの一つまたは複数含む方法を記載していることがわかる。
【００７６】
１）ネットワークスライス（例えばS-NSSAI）サブスクリプションの変更、または、UEポリシ（例えばNSSPルール）に影響するUE３の他のサブスクリプションの変更は、UDR１１によってH-PCF１０−２に通知されるものとする。
【００７７】
２）UEポリシ（例えばNSSPルール）情報またはネットワークスライス（例えばS-NSSAI）アベイラビリティ／制限情報は、UE３が非ローミング中であるときはH-PCF１０−２に、または、UE３がローミング中であるときはV-PCF１０−１に、アプリケーション機能（AF）によって直接的にまたはネットワークエクスポージャ機能（NEF）を介して通知されるものとする。
【００７８】
３）AMF９はNSSPルールの更新によりUEプロファイルを更新するものとする。AMF９は、緊急性に基づいて、および／または、更新されたNSSPルールがUE３の動作およびパフォーマンスにどのように影響するかに基づいて、UE３がコネクテッドモードまたはアイドルモードであるときにUEポリシ更新（例えば更新されたNSSPルール）をUE３またはUEのグループに伝達する方法を分析し判断するものとする。UE Configuration Update手続メッセージは、更新されたNSSPルールをコネクテッドモードのUE３に伝達するために使用されるものとする。
【００７９】
４）UE３は、AMF９から受信した更新されたNSSPルールを用いて、保存されているNSSPルールを更新し、新しいNSSPルールを使用して以下のことを判断する。
【００８０】
‐通信継続中のトラヒックを、他のネットワークスライスに所属する既存のPDUセッションを介してまたは同じ／他のネットワークスライスに関連する確立された新しいPDUセッションを介してルーティングできるか。または、
‐ネットワークスライスに関連する既存のPDUセッションを維持できるか否か。新しい更新されたNSSPルールに従って既存のPDUセッションを維持することができない場合、UE３はPDUセッション解放手続を開始してセッションを解放する。この場合、UE３は、新しいNSSPルールによりネットワークスライスへのコネクションを提供できる他のPLMNを探す、ネットワーク検索を開始してもよい。
【００８１】
利点
【００８２】
上記の態様は、以下のうちの一つまたは複数を含む（がこれらに限定されない）多くの利点を提供することがわかる。
【００８３】
現在、NSSPルールは、ホームネットワークによる登録手続中にUE３内で設定されるのみである。しかしながら、NSSPルールがネットワークによって更新される場合に、UE３は次の登録または再登録の際に更新されたNSSPルールを取得することになる、といった問題がある。最新のNSSPルールを用いたUE３の更新が遅くなると、次の登録手続を待つのに長い時間がかかる可能性がある。その結果、UE３は、ネットワークスライスを介した非効率的なPDU接続ルーティングやPDU接続障害につながりやすい古いNSSPルールを使用しうる。
【００８４】
提案された解決策によれば、UE３の登録と登録の間に、NSSPルール変更によるUE３の動的更新の提供が可能になる。これは、UE３がコネクテッドモードである場合はUE Configuration Update手続によりUE３に更新されたNSSPルールを提供することによって、または、Network triggered Service Request手続でUE３をコネクテッドモードとし、コネクテッドモードでのUE Configuration Update手続により最新のNSSPルールをUE３に提供することによって可能になる。これによりUE３は、より効果的なPDUセッションのルーティングをする、および、古いNSSPルールによるPDUセッション失敗を回避するための、最新のNSSPルールを使用することができる。
【００８５】
システム外観
【００８６】
図５は、上述した態様を適用可能なモバイル（セルラまたは無線）通信システム１を概略的に示す。
【００８７】
このネットワークにおいて、モバイルデバイス３（またはUser Equipment「UE３」）のユーザは、5G無線アクセス技術（RAT）を使用して、それぞれの基地局５およびコアネットワーク７を介して、互いにまたは他のユーザと通信することができる。多数の基地局５（または5Gネットワークにおける「gNB」）が（無線）アクセスネットワークを形成することが理解されよう。当業者には理解されるように、図５には説明のために三つのモバイルデバイス３と一つの基地局５とが示されているが、システムは、実装されるとき、通常は他の基地局およびモバイルデバイスを含むであろう。また、（無線）アクセスネットワークは、（たとえば、5Gの代わりにまたは5Gに加えて）E-UTRA無線アクセス技術をサポートすることが可能であることが理解されよう。
【００８８】
通常、コアネットワーク７は通信システム１における通信をサポートするための論理ノード（または「機能」）を含む。典型的には、たとえば、「次世代」／5Gシステムのコアネットワーク７は、機能の中でもとりわけ、制御プレーン機能とユーザプレーン機能とを含む。
【００８９】
周知のように、モバイルデバイス３は、通信システム１によってカバーされる地理的エリア内を動き回りながら、基地局５または（R）AN５によって扱われるエリア（すなわち無線セル）に出入りすることが可能である。モバイルデバイス３を追跡し、異なる基地局５間での移動を容易にするために、コアネットワーク７は少なくとも一つのアクセスモビリティ管理機能（AMF）９を含む。AMF９は、コアネットワーク７に接続された基地局５と通信している。コアネットワークによっては、AMF９の代わりにモビリティ管理エンティティ（MME）が使用されてもよい。
【００９０】
コアネットワーク７はまた、とりわけ、ポリシ制御機能（PCF）１０と、統合データリポジトリ（UDR）１１と、一つまたは複数のゲートウェイ１２とを含む。モバイルデバイス３が接続先ネットワーク（Visited PLMN）にローミングしているとき、モバイルデバイス３のホームネットワーク（HPLMN）はまた、関連コアネットワーク部（図５のコアネットワーク７Ｖ）を含む。これは、ローミングしているモバイルデバイス３のために、AMF９、PCF１０、およびUDR１１の機能の少なくともいくつかを提供する。
【００９１】
モバイルデバイス３およびそれぞれのサービング基地局５は、適切なエアインタフェース（たとえば、いわゆる「Uu」インタフェースなど）を介して接続される。隣接する基地局５は、直接または適切な（ホーム）基地局ゲートウェイにより、適切な基地局間インタフェース（いわゆる「Xn」インタフェースなど）を介して互いに接続される。各基地局５はまた、適切なインタフェース（いわゆる「N2」／「N3」インタフェースなど）を介してコアネットワークノードに接続される。コアネットワーク７から、外部IPネットワーク２０（インターネットなど）への接続も提供される。
【００９２】
User Equipment（UE３）
図６は、UE３（モバイルデバイス３）の主要な構成要素を示すブロック図である。図示のように、UE３は、一つまたは複数のアンテナ３２を介して、接続されたノードとの間で信号を送受信するよう動作可能なトランシーバ回路３１を含む。必ずしも図６に示さないが、UE３は、当然ながら、従来のモバイルデバイスの通常の機能（ユーザインタフェースなど）をすべて有し、これは、ハードウェア、ソフトウェア、およびファームウェアのいずれか一つまたは任意の組み合わせによって、適宜提供可能である。ソフトウェアは、たとえば、メモリに事前にインストールすることが可能であり、ならびに／あるいは、通信ネットワークを介してまたはリムーバブルデータストレージデバイス（RMD）からダウンロードすることも可能である。コントローラ３３は、メモリ３４に保存されたソフトウェアに従ってUE３の動作を制御する。ソフトウェアは、とりわけ、オペレーティングシステム３４１と、少なくともトランシーバ制御モジュール３４２１を有する通信制御モジュール３４２とを含む。通信制御モジュール３４２（そのトランシーバ制御モジュール３４２１を使用）は、UE３と基地局／（R）ANノードやAMF９などの他のノードとの間のシグナリングおよびアップリンク／ダウンリンクデータパケットを処理（生成／送信／受信）する役割を担う。このようなシグナリングには、たとえば、（UE３向けの）アクセスモビリティ管理手続に関連する適切にフォーマットされたシグナリングメッセージ（例えば登録要求および関連する応答）、特に、UE３のNSSP構成および更新に関連するシグナリングメッセージを含むことが可能である。
【００９３】
ネットワーク装置（例えばAMF９／PCF１０／UDR１１）
図７は、ネットワーク装置の主要な構成要素を示すブロック図である。具体的に、図７はAMF９のブロック図を表す。図８はPCF１０のブロック図を表し、図９はUDR１１のブロック図を表す。図示のように、この装置は、ネットワークインタフェースを介して他のノード（UE３を含む）との間で信号の送受信を行うよう動作可能なトランシーバ回路（９１、１０１、１１１）を含む。コントローラ（９２、１０２、１１２）は、メモリ（９３、１０３、１１３）に保存されたソフトウェアに従って装置の動作を制御する。ソフトウェアは、たとえば、メモリ（９３、１０３、１１３）に事前にインストールすることが可能であり、ならびに／あるいは、通信ネットワークを介してまたはリムーバブルデータストレージデバイス（RMD）からダウンロードすることも可能である。ソフトウェアは、とりわけ、オペレーティングシステム（９３１、１０３１、１１３１）と、少なくともトランシーバ制御モジュール（９３２１、１０３２１、１１３２１）を有する通信制御モジュール（９３２、１０３２、１１３２）とを含む。通信制御モジュール（９３２、１０３２、１１３２）（そのトランシーバ制御モジュール９３２１、１０３２１、１１３２１を使用）は、装置とUE３（たとえば、基地局／（R）ANノードを介して）や他のコアネットワークノード（UE３がローミングしているときの接続先／ホームネットワーク内のコアネットワークノードを含む）などの他のノードとの間のシグナリングを処理（生成／送信／受信）する役割を担う。このようなシグナリングには、たとえば、（UE３向けの）アクセスモビリティ管理手続に関連する適切にフォーマットされたシグナリングメッセージ（例えば登録要求および関連する回答）、特に、UE３のNSSP構成および更新に関連するシグナリングメッセージを含むことが可能である。
【００９４】
変形例と代替案
【００９５】
詳細な態様が上記のとおり説明された。当業者には理解されるように、ここに具現化される開示からも利益を受ける一方で、上記の態様に対して多くの変形例および代替案を作成することができる。説明のために、これらの代替案および変形例のいくつかだけをこれから説明する。
【００９６】
上記の説明では、理解を容易にするために、UE３とネットワーク装置はいくつかの個別モジュール（通信制御モジュールなど）を有するものとして説明されている。既存のシステムが本開示を実施するよう変更されたような所定の用途に、また、システムが発明の特徴を最初から考慮して設計されたような他の用途に、これらのモジュールをこのように適用することは可能だが、これらのモジュールは、オペレーティングシステムやコード全体に組み込まれているため、個別のエンティティとして認識されない場合がある。これらのモジュールはまた、ソフトウェア、ハードウェア、ファームウェア、またはこれらの組み合わせに実装してもよい。
【００９７】
各コントローラは、たとえば、下記を含む（が、これらに限定されない）任意の適切な形式の処理回路を含むことが可能である。すなわち、一つまたは複数のハードウェア実装のコンピュータプロセッサ、マイクロプロセッサ、中央演算処理装置（CPU）、演算論理装置（ALU）、入出力（IO）回路、内部メモリ／キャッシュ（プログラムおよび／またはデータ）、処理レジスタ、通信バス（たとえば、制御、データ、および／またはアドレスバス）、ダイレクトメモリアクセス（DMA）機能、ハードウェアまたはソフトウェア実装のカウンタ、ポインタ、および／またはタイマなど。
【００９８】
上記の態様ではいくつかのソフトウェアモジュールを説明した。当業者には理解されるように、ソフトウェアモジュールは、コンパイルされた形式またはコンパイルされていない形式で提供されてもよいし、コンピュータネットワークを介してまたは記録媒体上で、信号としてUE３およびネットワーク装置に供給されてもよい。また、このソフトウェアの一部または全部によって実行される機能は、一つまたは複数の専用ハードウェア回路を使用して実行されてもよい。なお、ソフトウェアモジュールの使用は、それらの機能を更新するためにUE３およびネットワーク装置の更新を容易にするので好ましい。
【００９９】
上記の態様では、3GPP無線通信（無線アクセス）技術が使用される。しかしながら、他の無線通信技術（たとえば、WLAN、Wi-Fi、WiMAX、ブルートゥースなど）も上記の態様に従って使用可能である。
【０１００】
User Equipmentという項目には、たとえば、携帯電話、スマートフォン、User Equipment、携帯情報端末、ラップトップ／タブレットコンピュータ、ウェブブラウザ、電子書籍リーダなどの通信デバイスが含まれる。このようなモバイル（または、通常は静止していても）デバイスは通常ユーザによって操作されるが、いわゆる「モノのインターネット」（IoT）デバイスおよび同様のマシンタイプ通信（MTC）デバイスをネットワークに接続することもできる。簡略化のために、本出願は明細書においてモバイルデバイス（またはUE）に言及しているが、データの送受信のために通信ネットワークに接続可能な任意の通信デバイス（モバイルおよび／または通常は静止した）に対して、当該デバイスが人間による入力またはメモリに保存されたソフトウェア命令のどちらによって制御されるかは関係なく、記載した技術を実装可能であることが理解されるだろう。
【０１０１】
様々な他の変更は当業者にとって明らかであり、ここではこれ以上詳細に説明しない。
【０１０２】
略語および用語
下記の略語および用語は、本明細書において使用されている。
5GS  5G System  5Gシステム
5G-AN  5G Access Network  5Gアクセスネットワーク
5G-RAN  5G Radio Access Network  5G無線アクセスネットワーク
AF  Application Function  アプリケーション機能
AMF  Access and Mobility Management Function  アクセスモビリティ管理機能
APN  Access Point Name  アクセスポイント名
AS  Access Stratum  アクセス層
AUSF  Authentication and Security Function  認証およびセキュリティ機能
CP  Control Plane  制御プレーン
DNN  Data Network Name  データネットワーク名
HPLMN  Home Public Land Mobile Network  ホーム公衆陸上モバイルネットワーク
NAS  Non Access Stratum  非アクセス層
NF  Network Function  ネットワーク機能
NEF  Network Exposure Function  ネットワークエクスポージャ機能
NR  New Radio  新無線
NRF  Network Repository Function  ネットワークレポジトリ機能
NSSF  Network Slice Selection Function  ネットワークスライス選択機能
NSSP  Network Slice Selection Policy   ネットワークスライス選択ポリシ
PCF  Policy Control Function  ポリシ制御機能
(R)AN  Radio Access Network  無線アクセスネットワーク
SSCMSP  Session and Service Continuity Mode Selection Policy  セッションおよびサービス連続モード選択ポリシ
UDR  Unified Data Repository  統合データリポジトリ
UE  User Equipment  ユーザ機器
【０１０３】
＜付記＞
上記のとおり開示された実施態様の全部または一部は、下記の付記のように説明することができるが、これらに限定されない。以下、本開示に係るPCFノードなどの概略を説明する。
【０１０４】
（付記１）
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信する送信手段を備える、ポリシ制御機能（PCF）ノード。
（付記２）
前記送信手段は、前記UEの登録手続の際に前記情報を送信する、付記１に記載のPCFノード。
（付記３）
前記情報は、ネットワークスライス選択ポリシ（NSSP）を含む、付記１または２に記載のPCFノード。
（付記４）
User Equipment（UE）のアクセスおよびプロトコルデータユニット（PDU）セッション選択の少なくとも一つのポリシを更新するための情報を、ポリシ制御機能（PCF）ノードから受信する受信手段と、
前記情報に関連するメッセージをUEに送信する送信手段と、
を備える、アクセスモビリティ管理機能（AMF）ノード。
（付記５）
前記送信手段は、前記UEがコネクテッドモードの場合に前記情報を送信する、付記４に記載のAMFノード。
（付記６）
前記送信手段は、前記UEがアイドルモードの場合にNetwork Triggered Service Requestをトリガする、付記４に記載のAMFノード。
（付記７）
前記送信手段は、前記UEの登録手続の際に前記メッセージを送信する、付記４乃至６のいずれか一つに記載のAMFノード。
（付記８）
前記受信手段は、前記UEから前記メッセージの送信の確認応答を受信する、付記４乃至７のいずれか一つに記載のAMFノード。
（付記９）
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信する受信手段を備える、User Equipment（UE）。
（付記１０）
UEのアクセスおよびPDUセッション選択の少なくとも一つのポリシを前記情報で更新する更新手段と、
少なくとも一つの既存のPDUセッションを維持するかどうかおよび少なくとも一つの新しいPDUセッションを確立するかどうかの少なくとも一つを決定する決定手段とを備える、付記９に記載のUE。
（付記１１）
前記決定手段は、前記UEが現在使用しているネットワークスライス以外のネットワークスライスに所属する少なくとも一つの既存のPDUセッションを介して通信継続中のトラヒックをルーティングするかどうかを決定する、付記１０に記載のUE。
（付記１２）
前記決定手段は、前記UEが現在使用しているものと同一のネットワークスライスまたは異なるネットワークスライスと関連付けられる前記少なくとも一つの新しいPDUセッションを確立することを決定する、付記１０に記載のUE。
（付記１３）
前記決定手段は、前記UEが現在使用しているものと同一のネットワークスライスまたは異なるネットワークスライスと関連付けられる前記少なくとも一つの既存のPDUセッションを解放することを決定する、付記１０に記載のUE。
（付記１４）
アクセスモビリティ管理機能（AMF）ノードと、
ポリシ制御機能（PCF）ノードと、
User Equipment（UE）と、を備え、
前記PCFノードは、UEのアクセスおよびプロトコルデータユニット（PDU）セッション選択の少なくとも一つのポリシを更新するための情報に関連するメッセージを、前記AMFノードを介して前記UEに送信するよう構成され、
前記UEは、UEのアクセスおよびPDUセッション選択の少なくとも一つのポリシを更新するための情報に関連するメッセージを、前記AMFノードを介して前記PCFノードから受信するよう構成され、
前記AMFノードは、前記UEのアクセスおよびPDUセッション選択の少なくとも一つのポリシを更新するための前記情報を前記PCFノードから受信し、前記情報に関連するメッセージを前記UEに送信するよう構成される、モバイル通信システム。
（付記１５）
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してUEに送信することを含む、ポリシ制御機能（PCF）ノードにおける制御方法。
（付記１６）
前記情報は前記UEの登録手続の際に送信される、付記１５に記載の制御方法。
（付記１７）
前記情報はネットワークスライス選択ポリシ（NSSP）を含む、付記１５または１６に記載の制御方法。
（付記１８）
User Equipment（UE）のアクセスおよびプロトコルデータユニット（PDU）セッション選択の少なくとも一つのポリシを更新するための情報を、ポリシ制御機能（PCF）ノードから受信することと、
前記情報に関連するメッセージをUEに送信することと、
を含む、アクセスモビリティ管理機能（AMF）ノードにおける制御方法。
（付記１９）
前記情報は前記UEがコネクテッドモードの場合に送信される、付記１８に記載の制御方法。
（付記２０）
前記UEがアイドルモードの場合にNetwork Triggered Service Requestをトリガすることをさらに含む、付記１９に記載の制御方法。
（付記２１）
前記メッセージは前記UEの登録手続の際に送信される、付記１８乃至２０のいずれか一つに記載の制御方法。
（付記２２）
前記UEから前記メッセージの送信の確認応答を受信することをさらに含む、付記１８乃至２１のいずれか一つに記載の制御方法。
（付記２３）
User Equipment（UE）のアクセスおよびプロトコルデータユニット（PDU）セッション選択の少なくとも一つのポリシを更新するための情報に関連するメッセージを、アクセスモビリティ管理機能（AMF）ノードを介してポリシ制御機能（PCF）ノードから受信することを含む、User Equipment（UE）における制御方法。
（付記２４）
UEのアクセスおよびPDUセッション選択の少なくとも一つのポリシを前記情報で更新することと、
少なくとも一つの既存のPDUセッションを維持するかどうかおよび少なくとも一つの新しいPDUセッションを確立するかどうかの少なくとも一つを決定することと
を含む、付記２３に記載の制御方法。
（付記２５）
前記決定は、前記UEが現在使用しているネットワークスライス以外のネットワークスライスに所属する少なくとも一つの既存のPDUセッションを介して通信継続中のトラヒックをルーティングするかどうかを決定することにより行われる、付記２４に記載の制御方法。
（付記２６）
前記決定は、前記UEが現在使用しているものと同一のネットワークスライスまたは異なるネットワークスライスと関連付けられる前記少なくとも一つの新しいPDUセッションを確立することを決定することにより行われる、付記２４に記載の制御方法。
（付記２７）
前記決定は、前記UEが現在使用しているものと同一のネットワークスライスまたは異なるネットワークスライスと関連付けられる前記少なくとも一つの既存のPDUセッションを解放することを決定することにより行われる、付記２４に記載の制御方法。
【０１０５】
本出願は、２０１７年１０月１１日に特許出願された欧州特許出願第17196037.0号に基づく優先権主張の利益を享受するものであり、当該特許出願に記載された内容は、全て本明細書に含まれるものとする。
【０１０６】
１  通信システム
３  モバイルデバイス
３１  トランシーバ回路
３２  アンテナ
３３  コントローラ
３４  メモリ
３４１  オペレーティングシステム
３４２  通信制御モジュール
３４２１  トランシーバ制御モジュール
３５  ユーザインタフェース
５  基地局
７  コアネットワーク
９  アクセスモビリティ管理機能（AMF）
９１  トランシーバ回路
９２  コントローラ
９３  メモリ
９３１  オペレーティングシステム
９３２  通信制御モジュール
９３２１  トランシーバ制御モジュール
９４  ネットワークインタフェース
１０  ポリシ制御機能（PCF）
１０１  トランシーバ回路
１０２  コントローラ
１０３  メモリ
１０３１  オペレーティングシステム
１０３２  通信制御モジュール
１０３２１  トランシーバ制御モジュール
１０４  ネットワークインタフェース
１１  統合データリポジトリ（UDR）
１１１  トランシーバ回路
１１２  コントローラ
１１３  メモリ
１１３１  オペレーティングシステム
１１３２  通信制御モジュール
１１３２１  トランシーバ制御モジュール
１１４  ネットワークインタフェース
１２  ゲートウェイ（GW）
１３  認証およびセキュリティ機能（AUSF）
２０  外部IPネットワーク
３００  ポリシ制御機能（PCF）ノード
３０１  送信手段
４００  アクセスモビリティ管理機能（AMF）ノード
４０１  受信手段
４０２  送信手段
５００  User Equipment（UE）
５０１  受信手段
【図１】
2020533876.tif 000003
【図２】
2020533876.tif 000004
【図３】
2020533876.tif 000005
【図４】
2020533876.tif 000006
【図５】
2020533876.tif 000007
【図６】
2020533876.tif 000008
【図７】
2020533876.tif 000009
【図８】
2020533876.tif 000010
【図９】
2020533876.tif 000011
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
User Equipment（UE）のアクセスおよびプロトコルデータユニット（PDU）セッション選択の少なくとも一つのポリシを更新するための情報を、モビリティ管理のコアネットワークノードを介してUEへ送信する手段を備え、
前記情報はUEポリシを含み、当該UEポリシは少なくとも一つのネットワークスライス選択ポリシ（NSSP）を含み、
前記送信する手段は、前記UEの登録手続の際または前記UEポリシの伝送のためのUE configuration update手続の際に、前記情報を送信するよう構成され、
前記NSSPの各々はアプリケーションと少なくとも一つのSingle Network Selection Assistance Information (S-NSSAI)との関連付けを示す、ポリシ制御のコアネットワークノード。
【請求項２】
前記送信する手段は、前記情報をNpcf_AMPolicy_Control_UpdateNotifyメッセージを使って送信するよう構成される、請求項１に記載のポリシ制御のコアネットワークノード。
【請求項３】
User Equipment（UE）のアクセスおよびプロトコルデータユニット（PDU）セッション選択の少なくとも一つのポリシを更新するための情報を、ポリシ制御のコアネットワークノードから受信する手段と、
前記情報に関連するメッセージをUEに送信する手段とを備え、
前記情報はUEポリシを含み、当該UEポリシは少なくとも一つのネットワークスライス選択ポリシ（NSSP）を含み、
前記送信する手段は前記情報に関連する前記メッセージを、前記UEの登録手続の際または前記UEポリシの伝送のためのUE configuration update手続の際に送信するよう構成され、
前記NSSPの各々はアプリケーションと少なくとも一つのSingle Network Selection Assistance Information (S-NSSAI)との関連付けを示す、モビリティ管理のコアネットワークノード。
【請求項４】
前記送信する手段は、前記UEがコネクテッドモードの場合に前記情報に関連する前記メッセージを送信するよう構成される、
請求項３に記載のモビリティ管理のコアネットワークノード。
【請求項５】
前記UEがアイドルモードの場合にNetwork Triggered Service Request手続をトリガする制御手段を備える、請求項３又は４に記載のモビリティ管理のコアネットワークノード。
【請求項６】
前記受信する手段は、前記UEから前記メッセージの送信の確認応答を受信するよう構成される、請求項３乃至５のいずれか１項に記載のモビリティ管理のコアネットワークノード。
【請求項７】
User Equipment（UE）のアクセスおよびプロトコルデータユニット（PDU）セッション選択の少なくとも一つのポリシを更新するための情報に関するメッセージを、モビリティ管理のコアネットワークノードを介してポリシ制御のコアネットワークノードから受信する手段を備え、
前記情報はUEポリシを含み、当該UEポリシは少なくとも一つのネットワークスライス選択ポリシ（NSSP）を含み、
前記受信する手段は、前記UEの登録手続の際または前記UEポリシの伝送のためのUE configuration update手続の際に、前記情報に関連する前記メッセージを受信するよう構成され、
前記NSSPの各々はアプリケーションと少なくとも一つのSingle Network Selection Assistance Information (S-NSSAI)との関連付けを示す、User Equipment（UE）。
【請求項８】
UEのアクセスおよびPDUセッション選択の少なくとも一つのポリシを前記情報で更新する手段と、
少なくとも一つの既存のPDUセッションを維持するかどうかおよび少なくとも一つの新しいPDUセッションを確立するかどうかの少なくとも一つを決定する手段と、を備える、
請求項7に記載のUE。
【請求項９】
前記決定する手段は、前記UEが現在使用しているネットワークスライス以外のネットワークスライスに所属する少なくとも一つの既存のPDUセッションを介して継続中のトラヒックをルーティングするかどうかを決定するよう構成される、請求項8に記載のUE。
【請求項１０】
前記決定する手段は、前記UEが現在使っているものと同一のネットワークスライス又は異なるネットワークスライスと関連付けられる前記少なくとも一つの新しいPDUセッションを確立することを決定するよう構成される、請求項8に記載のUE。
【請求項１１】
前記決定する手段は、前記UEが現在使っているものと同一のネットワークスライス又は異なるネットワークスライスと関連付けられる前記少なくとも一つの既存のPDUセッションを解放することを決定する、請求項８に記載のUE。
【請求項１２】
モビリティ管理のコアネットワークノードと、
ポリシ制御のコアネットワークノードと、
User Equipment（UE）と、を備え、
前記ポリシ制御のコアネットワークノードは、UEのアクセスおよびプロトコルデータユニット（PDU）セッション選択の少なくとも一つのポリシを更新するための情報に関連するメッセージを、前記モビリティ管理のコアネットワークノードを介して前記UEに送信するよう構成され、
前記UEは、UEのアクセスおよびプロトコルデータユニット（PDU）セッション選択の少なくとも一つのポリシを更新するための情報に関連するメッセージを、前記モビリティ管理のコアネットワークノードを介して前記ポリシ制御のコアネットワークノードから受信するよう構成され、
前記モビリティ管理のコアネットワークノードは、
UEのアクセスおよびプロトコルデータユニット（PDU）セッション選択の少なくとも一つのポリシを更新するための前記情報を前記ポリシ制御のコアネットワークノードから受信し、
前記情報に関連するメッセージを前記UEに送信するよう構成される、無線通信システム。
【請求項１３】
User Equipment（UE）のアクセスおよびプロトコルデータユニット（PDU）セッション選択の少なくとも一つのポリシを更新するための情報を、モビリティ管理のコアネットワークノードを介してUEへ送信し、
前記情報はUEポリシを含み、当該UEポリシは少なくとも一つのネットワークスライス選択ポリシ（NSSP）を含み、
前記送信は、前記UEの登録手続の際または前記UEポリシの伝送のためのUE configuration update手続の際に、前記情報を送信することを含み、
前記NSSPの各々はアプリケーションと少なくとも一つのSingle Network Selection Assistance Information (S-NSSAI)との関連付けを示す、ポリシ制御のコアネットワークノードにおける制御方法。
【請求項１４】
User Equipment（UE）のアクセスおよびプロトコルデータユニット（PDU）セッション選択の少なくとも一つのポリシを更新するための情報を、ポリシ制御のコアネットワークノードから受信し、
前記情報に関連するメッセージをUEに送信することを含み、
前記情報はUEポリシを含み、当該UEポリシは少なくとも一つのネットワークスライス選択ポリシ（NSSP）を含み、
前記送信は前記情報に関連する前記メッセージを、前記UEの登録手続の際または前記UEポリシの伝送のためのUE configuration update手続の際に送信することを含み、
前記NSSPの各々はアプリケーションと少なくとも一つのSingle Network Selection Assistance Information (S-NSSAI)との関連付けを示す、モビリティ管理のコアネットワークノードにおける制御方法。
【請求項１５】
User Equipment（UE）のアクセスおよびプロトコルデータユニット（PDU）セッション選択の少なくとも一つのポリシを更新するための情報に関するメッセージを、モビリティ管理のコアネットワークノードを介してポリシ制御のコアネットワークノードから受信することを含み、
前記情報はUEポリシを含み、当該UEポリシは少なくとも一つのネットワークスライス選択ポリシ（NSSP）を含み、
前記受信は、前記UEの登録手続の際または前記UEポリシの伝送のためのUE configuration update手続の際に、前記情報に関連する前記メッセージを受信することを含み、
前記NSSPの各々はアプリケーションと少なくとも一つのSingle Network Selection Assistance Information (S-NSSAI)との関連付けを示す、User Equipment（UE）における制御方法。
【手続補正２】
【補正対象書類名】明細書
【補正対象項目名】００３１
【補正方法】変更
【補正の内容】
【００３１】
１ａ）H-PCF１０−２は、S-NSSAIの通常のアベイラビリティまたはUE３ごともしくはUEのグループごとのS-NSSAI制限に関して、直接的にまたはNEF（ネットワークエクスポージャ機能）を介してアプリケーション機能（AF）から通知を受信してもよい。AFは、特定のUE３またはUEのグループのUEポリシの変更、たとえばNSSPルールの変更もまた指示してもよい。AFの要求／通知は、N5を介して（個々のUEの継続中のPDUセッションに関する要求の場合、5GC NFと直接インタラクトすることが可能なAFのために）、あるいは、ネットワークエクスポージャ機能（NEF）を介して、H-PCF１０−２に送信される。このような要求または通知の例は、NSSPルールやAllowed S-NSSAIリストへの変更といった、UEポリシの一つまたは複数の要素の変更をトリガするNamf_EventExposure_Notify(NSSP rules, allowed/disallowed S-NSSAI)サービスオペレーションである。複数のUE３を対象とする要求または通知は、NEFを介して送信される。また、複数のUE３を対象とする要求または通知は、複数のH-PCF１０−２を対象としてもよい。
【手続補正３】
【補正対象書類名】明細書
【補正対象項目名】００４７
【補正方法】変更
【補正の内容】
【００４７】
１）V-PCF１０−１は、S-NSSAIの通常のアベイラビリティまたはローミング中のUE３もしくはUEのグループごとのネットワークスライス（例えばS-NSSAI）制限に関して、直接的にまたはNEF（ネットワークエクスポージャ機能）を介してアプリケーション機能（AF）から通知を受信してもよい。AFは、特定のUE３またはUEのグループのUEポリシの変更、たとえばローミング中のNSSPルールの変更もまた指示してもよい。AFの要求／通知は、N5を介して（個々のUEの継続中のPDUセッションに関する要求の場合、5GC NFと直接インタラクトすることが可能なAFのために）、あるいはNEFを介して、V-PCF１０−１に送信される。このような要求または通知の例は、NSSPルールやAllowed S-NSSAIリストへの変更といった、UEポリシの一つまたは複数の要素の変更をトリガするNamf_EventExposure_Notify(NSSP rules, allowed/disallowed S-NSSAI)サービスオペレーションである。複数のUE３を対象とする要求または通知は、NEFを介して送信される。また、複数のUE３を対象とする要求または通知は、複数のV-PCF１０−１を対象としてもよい。
【手続補正４】
【補正対象書類名】明細書
【補正対象項目名】００５２
【補正方法】変更
【補正の内容】
【００５２】
AMF９は、UEポリシ（例えばNSSPルール）の最新の変更を用いたUE設定の更新が急務であるか否か（例えばUE設定の更新が直ちに必要か、または待機できるか）を、UEポリシルールへの変更を分析する（たとえば、NSSPルールの変更の範囲、アクティブなPDUセッションに影響があるかどうか、既に選択された／アクティブなネットワークスライスが関わっているかどうかなどを分析する）ことによって判断することもできる。UEポリシ（例えばNSSPルール）の変更が重要であり、ならびに／または、UEポリシ（例えばNSSPルール）の更新が既存のPDUセッションに影響する、および／もしくは、アクティブなネットワークスライス（S-NSSAI）に影響する場合、AMF９は、UE３が遅滞なく更新されたUEポリシ（例えばNSSPルール）をうまく利用できるよう、UE３のUEポリシ（例えばUE NSSPルール）を直ちに更新することを決定してもよい。たとえば、UE３は、NSSPルールの最新の更新に基づいて、新しいPDUセッションを再確立することができる。更新されたUEポリシ（例えばNSSPルール）を用いたUE設定をすぐに更新することをAMF９が決定し、UE３がアイドルモードにある場合、AMF９はステップ５で述べるNetwork Triggered Service Request手続を開始するものとする。AMF９の決定は、オペレータの設定、設定、またはポリシによって、またはそれらに基づいて制御できる。
【国際調査報告】
2020533876.tif 000012
2020533876.tif 000013